(57)【要約】      （修正有）【課題】搬送設備を通常の速度で運転し、乗客を載せた後、長いコンベアーに移乗させ、長いコンベアーの運行速度を上げることを可能にする。【解決手段】薄鋼板１を角波板状に縦方向に折り曲げて表面２に多条の角溝４を形成し、搬送装置又は床の踏板の櫛歯を差し込むことにより、乗移ることを可能にし、又畝３の裏側に角溝を形成し、円形鍔を嵌め込み、回転させて薄鋼板１の移動を案内し又円形鍔の外周にすべり止めをほどこすことにより駆動を補助し、薄鋼板１の両耳９に角孔１０を穿って駆動歯車の歯又はエンドレスチェーンのアダプターの突起を噛み合わせて駆動し、側面板７の上限まで切込８を入れることにより撓んで湾曲する長尺のエンドレスの角波板型鋼板ベルトのコンベアー。接続する搬送設備の櫛歯を鋼板ベルトの薄鋼板１の上面の多条の角溝４に低く差し込んだ後、高くして引き戻すことにより、鋼板ベルト上の乗客を櫛歯の上に自動的に移乗させる。【選択図】図１
2009184825.tif 000002
【特許請求の範囲】
【請求項１】
広幅で長尺のエンドレス薄鋼板１を角波板状に縦方向に折り曲げて表面２に多条の角溝４を形成して、ここに搬送装置又は床の踏板１４の櫛歯１５を差し込むことにより、それらの上に乗移ることを可能にし、又表面の畝３の裏側に多条の角溝６を形成して、この角溝６に同数の円形鍔１７を嵌め込み、これを回転させて薄鋼板１の移動を案内し又円形鍔１７の外周にすべり止めをほどこすことにより駆動を補助しうるようにし、且、薄鋼板１の両耳９に等ピッチで多数個の角孔１０を穿って駆動歯車１１の歯又はエンドレスチェインのアダプターの突起を噛み合わせて駆動しうるようにし、且、裏面５より角溝４の側面板７の上限まで多数の等ピッチに切込８を入れることにより長尺の薄鋼板１を容易に撓んで湾曲しうるようにした長尺のエンドレスの角波板型鋼板ベルトのコンベアーの構造
【請求項２】
請求項１に記載の長尺のエンドレスの角波板型鋼板ベルトのコンベアーの構造において広幅で長尺のエンドレス薄鋼板１を角波板状に縦方向に折り曲げて表面２に多条の角溝４を形成する代りに広幅で長尺のエンドレス薄鋼板１の表面２に伸縮性材料の長尺の角形帯１２を薄鋼板１の縦方向に等間隔に多数本固定し、これらの間に溝４を形成した長尺のエンドレスの薄鋼板ベルトのコンベアーの構造
【請求項３】
請求項１に記載の長尺のエンドレスの角波板型鋼板ベルトのコンベアーの構造において裏面よりの切込８の形状を梯形にして等ピッチで多数個所切り込んでラック歯１８に形成することにより駆動歯車等を噛み合わせて駆動しうるようにした長尺のエンドレスの角波板型鋼板ベルトのコンベアーの構造
【請求項４】
請求項１に記載した長尺のエンドレスの角波板型の鋼板ベルトのコンベアーに接続する搬送設備に於いて、多数の第一搬送用往復棒２０と同数の第二搬送用往復棒２２を一本宛交互に隣接して並べ、第一搬送用往復棒２０は枠に取付けて第一櫛歯２１とし、又第二搬送用往復棒２２は枠に取付けて第二櫛歯２３として、これらの櫛歯２１及び２３を薄鋼板１の表面２の角溝４に差し込んで往復運動させる構造とし、第一櫛歯２１を差し込むときは、その上面を薄鋼板１の表面２より僅かに低くして前進させ、角溝４内に差し込んだ後は、その上面を薄鋼板１より僅かに高く押し上げて、そのまま水平に後方まで引戻し、この位置で僅かに低く下げ、再び前進させる周遊運動をさせ、第二櫛歯２３も同じ回路を半周期遅れて周遊運動することにより鋼板ベルト上の乗客又は積載物を櫛歯２１及び２３の上に引きずり込んで乗移らせた後、次のコンベアー又は床へ送り出すようにしたコンベアーに接続する搬送設備の構造
【発明の詳細な説明】
【技術分野】
【０００１】  乗客又は積載物を搬送するベルトコンベアーとこのコンベアーより乗降する附帯設備
【背景技術】
【０００２】  従来の乗客を搬送するコンベアーは昇降用エスカレーターの部品を使用してその上面の多数の溝に床面の踏板の櫛歯を噛み合わせることにより靴先のつまずきを防いでいる。このためエスカレーターの複雑な部品を使用するため製作費は高価になっている。
【発明が解決しようとする課題】
【０００３】  本発明は従来の構造より簡単な構造により同じように床に取付けた櫛歯型踏板に乗降できるようにする。
【０００４】  コンベアーへの乗り移り、又、床に降りるとき、この安全を保つために一定以上のコンベアーの速度を上げることが出来ない。そのため本発明の搬送設備を通常のコンベアーの制限速度で運転し、これに乗客を載せた後、長いコンベアーに自動的に移乗させることにより、長いコンベアーの運行速度を上げることが可能になり、大幅な輸送能力の向上が期待できる。又コンベアーより降りるときも、同じ構造の搬送装置に移乗し、それから床面に降りることにより安全を保ることが出来る。
【課題を解決するための手段】
【０００５】  広幅で長尺のエンドレス薄鋼板１を角波板状に縦方向に折り曲げて表面２に多条の角溝４を形成して、ここに搬送装置又は床の踏板１４の櫛歯１５を差し込むことにより、それらの上に乗移ることを可能にし、又表面の畝３の裏側に多条の角溝６を形成して、この角溝６に同数の円形鍔１７を嵌め込み、これを回転させて薄鋼板１の移動を案内し又円形鍔１７の外周にすべり止めをほどこすことにより駆動を補助しうるようにし、且、薄鋼板１の両耳９に等ピッチで多数個の角孔１０を穿って駆動歯車１１の歯又はエンドレスチェインのアダプターの突起を噛み合わせて駆動しうるようにし、且、裏面５より角溝４の側面板７の上限まで多数の等ピッチに切込８を入れることにより長尺の薄鋼板１を容易に撓んで湾曲にしうるよにする。
【０００６】  広幅で長尺のエンドレス薄鋼板１を角波板状に縦方向に折り曲げて表面２に多条の角溝４を形成する代りに広幅で長尺のエンドレス薄鋼板１の表面２に伸縮性材料の長尺の角形帯１２を薄鋼板１の縦方向に等間隔に多数本固定し、これらの間に溝４を形成するようにする。
【０００７】  又、裏面よりの切込８の形状を梯形にして等ピッチで多数個所切り込んでラック歯１８に形成することにより駆動歯車等を噛み合わせて駆動しうるようにする。
【０００８】  エンドレスの角波板型の鋼板ベルトのコンベアーに接続する搬送設備に於いて、多数の第一搬送用往復棒２０と同数の第二搬送用往復棒２２を一本宛交互に隣接して並べ、第一搬送用往復棒２０は枠に取付けて第一櫛歯２１とし、又第二搬送用往復棒２２は枠に取付けて第二櫛歯２３として、これらの櫛歯２１及び２３を薄鋼板１の表面２の角溝４に差し込んで往復運動させる構造とし、第一櫛歯２１を差し込むときは、その上面を薄鋼板１の表面２より僅かに低くして前進させ、角溝４内に差し込んだ後は、その上面を薄鋼板１より僅かに高く押し上げて、そのまま水平に後方まで引戻し、この位置で僅かに低く下げ、再び前進させる周遊運動をさせ、第二櫛歯２３も同じ回路を半周期遅れて周遊運動することにより鋼板ベルト上の乗客又は積載物を櫛歯２１及び２３の上に引きずり込んで乗移らせた後、次のコンベアー又は床へ送り出すようにする。
【発明の効果】
【０００９】  本発明により乗客等を搬送するコンベアーの構造が簡単となると共にこれに接続する搬送設備を併用することにより、その搬送速度を大幅に上げ長距離の搬送を効率よく行うことが可能になる。
【発明を実施するための最良の形態】
【００１０】  図１に示すとおり、広幅で長尺のエンドレス薄鋼板１を角波板状に縦方向に折り曲げて、表面２に多条の角溝４を形成して、ここに搬送装置又は床の踏板１４の櫛歯１５を差し込むことにより、乗客の靴先がつまずくことを防いで安全に移乗できるようにする。又、表面の畝３の裏側に多条の角溝６を形成して、この角溝６に図１０、図１１、及び図１２に示したとおり同数の円形鍔１７を嵌め込み、これを取付けた広幅ホイール１６を回転させて薄鋼板１を正常に支持するようにし、又この円形鍔１７の外周にすべり止め加工をほどこすことにより、薄鋼板１の移動を補助することも出来る。【００１１】  又、薄鋼板１の両耳９に等ピッチで多数個の角孔１０を穿って駆動歯車１１の歯又はエンドレスチェインのアダプターの突起を噛み合わせて駆動しうるようにし、この薄鋼板１のベルトコンベアーを非常に長くする場合は、コンベアー端部の駆動以外にコンベアーの水平部に数カ所、駆動歯車又はエンドレスチェインのアダプター突起をこの角孔１０に噛み合わせて、駆動を補助することも可能である【００１２】  又、裏面５より角溝４の側面板７の上限まで多数の等ピッチに切込８を入れることにより長尺の薄鋼板１を容易に撓んで湾曲しうるようにできる。縦薄鋼板１の材質を柔軟性のあるステンレス鋼板、又はバネ鋼板で製作する場合、２ｍｍ程度の厚さまで使用出来るようになる。【００１３】  又、広幅で長尺のエンドレス薄鋼板１を角波板状に縦方向に折り曲げて表面２に多条の角溝４を形成する代りに広幅で長尺のエンドレス薄鋼板１の表面２に伸縮性材料の長尺の角形帯１２を薄鋼板１の縦方向に等間隔に多数本固定し、これらの間に溝４を形成することも出来る。【００１４】  角形帯１２の材料は布を層状に埋めこんだゴム又は合成樹脂を使用し、これを薄鋼板１の上に焼付け、更に鋲を貫通して固定することが必要であり、更に表層を波打ち形状の金網の融着により補強することが望ましい。【００１５】  裏面よりの切込８の形状を梯形にして等ピッチで多数個所切り込んでラック歯１８に形成することにより駆動歯車等を噛み合わせて駆動しうるようにする。【００１６】  鋼板ベルトのコンベアーに接続して、乗降を補助する搬送設備として図１３、図１４及び図１５に示すように、多数の第一搬送用往復棒２０と同数の第二搬送用往復棒２２を一本宛交互に隣接して並べ、第一搬送用往復棒２０は枠に取付けて第一櫛歯２１とし、又第二搬送用往復棒２２は枠に取付けて第二櫛歯２３として、これらの櫛歯２１及び２３を薄鋼板１の表面２の角溝４に差し込んで往復運動させる構造とする。【００１７】  枠の形状をした第一櫛歯２１及び第二櫛歯２３にはラック歯２４が刻まれておって、櫛歯駆動用ピニオン２５に噛み合っている。従ってこのピニオン２５は減速機付モーター２８により、モーター附属チェインホイール２９、櫛歯駆動用チェイン２６、櫛歯駆動用チェインホイール２７を通して回転させられて、櫛歯２１及び２３は櫛歯往復案内３０に沿って薄鋼板１の長手方向に往復運動することになる。【００１８】  押上げ板用偏心ボス付チェインホイール３３は、押上げ板用減速機付モーター３６によりモーター附属チェインホイール３７、押上げ板用チェイン３５を通じて、固定軸３４の周を半回転させられて、往復用案内押上げ板３１は櫛歯往復用案内３０の下の傾斜底に押し込まれる。そして櫛歯往復用案内３０は押上げ板用圧縮バネ３２と共に押上げられる。従って、櫛歯２１及び２３は僅かに押上げられ、又、押上げ板用偏心ボス付チェインホイール３３は半回転戻されると圧縮バネ３２の力により櫛歯往復用案内３０、従って櫛歯２１及び２３は押し下げられる。【００１９】  以上の機構によって第一櫛歯２１を差し込むときは、その上面を薄鋼板１の表面２より僅かに低くして前進させ、角溝４内に差し込んだ後は、その上面を薄鋼板１より僅かに高く押し上げて、そのまま水平に後方まで引戻し、この位置で僅かに低く下げ、再び前進させる周遊運動をさせ、第二櫛歯２３も同じ回路を半周期遅れて、周遊運動することにより、鋼板ベルト上の乗客又は積載物を櫛歯２１及び２３の上に引きずり込んで乗移らせた後、次のコンベアー又は床へ送り出すことが出来る。【００２０】  このとき、櫛歯２１及び２３の前進及び後退の速度を通常のコンベアーの制限速度にして、これに乗客を載せた後、長いコンベアーに自動的に移乗させることにより、長いコンベアーの速度を上げることが可能になる。
【図面の簡単な説明】
【００２１】
【図１】本発明の実施形態の第一実施例を示す平面図
【図２】図１のＡ−Ａ断面図
【図３】図１の側面図
【図４】本発明の実施形態の第二実施例を示す平面図
【図５】図４の正面図
【図６】図４の側面図
【図７】本発明の実施形態の第三実施例を示す平面図
【図８】図７のＢ−Ｂ断面図
【図９】図７の側面図
【図１０】本発明の実施形態の第四実施例を示す縦断面図
【図１１】図１０のＣ−Ｃ断面図
【図１２】図１０のＤ−Ｄ断面図
【図１３】本発明の実施形態の第五実施例を示す平面図
【図１４】図１３のＥ−Ｅ断面図
【図１５】図１３のＦ−Ｆ断面図
【符号の説明】
【００２２】  １・・・薄鋼板                          ２・・・薄鋼板の表面
３・・・表面の畝                        ４・・・表面の角溝
５・・・薄鋼板の裏面                    ６・・・裏面の角溝
７・・・側面板                          ８・・・切込
９・・・薄鋼板の耳                    １０・・・角孔
１１・・・駆動歯車                      １２・・・角形帯
１３・・・建物の床                      １４・・・床の踏板
１５・・・踏板の櫛歯                    １６・・・広幅ホイール
１７・・・円形鍔                        １８・・・ラック歯
１９・・・鋼板ベルト受                  ２０・・・第一搬送用往復棒
２１・・・第一櫛歯                      ２２・・・第二搬送用往復棒
２３・・・第二櫛歯                      ２４・・・櫛歯のラック歯
２５・・・櫛歯駆動用ピニオン            ２６・・・櫛歯駆動用チェイン
２７・・・櫛歯駆動用チェインホイール    ２８・・・櫛歯駆動用減速機付モーター
２９・・・同右モーター附属チェインホイール  ３０・・・櫛歯往復用案内
３１・・・往復用案内押上げ板            ３２・・・押上げ板用圧縮バネ
３３・・・押上げ板用偏心ボス付チェインホイール
３４・・・押上げ板用偏心ボス付チェインホイール用固定軸
３５・・・押上げ板用チェイン            ３６・・・押上げ板用減速機付モーター
３７・・・押上げ板用減速機付モーター附属チェインホイール
【図１】
2009184825.tif 000003
【図２】
2009184825.tif 000004
【図３】
2009184825.tif 000005
【図４】
2009184825.tif 000006
【図５】
2009184825.tif 000007
【図６】
2009184825.tif 000008
【図７】
2009184825.tif 000009
【図８】
2009184825.tif 000010
【図９】
2009184825.tif 000011
【図１０】
2009184825.tif 000012
【図１１】
2009184825.tif 000013
【図１２】
2009184825.tif 000014
【図１３】
2009184825.tif 000015
【図１４】
2009184825.tif 000016
【図１５】
2009184825.tif 000017